(57)【要約】【課題】本発明は、ハンディータイプの目地除去用治具で、目地巾が広いものから狭いものまで、容易に除去可能な目地除去用治具を提供および目地の除去方法を提供することを目的とする。【解決手段】ノコギリ状に成形された複数の刃を備える刃部とそれを支持するにぎり部とからなる目地除去用治具において、前記刃部の厚みが漸次増加または減少する形状をなし、前記刃部の薄い部分が０．５ｍｍ以上で厚い部分が２．０ｍｍ以下、好ましくは薄い部分が１ｍｍ以上で厚い部分が１．５ｍｍ以下であることとした。【選択図】  図１
2004293252.tif 000002
【特許請求の範囲】
【請求項１】
ノコギリ状に成形された複数の刃を備える刃部とそれを支持するにぎり部とからなる目地除去用治具において、
前記刃部の厚みが漸次増加または減少する形状をなし、前記刃部の薄い部分が０．５ｍｍ以上で厚い部分が２．０ｍｍ以下であることを特徴とする目地除去用治具。
【請求項２】
ノコギリ状に成形された複数の刃を有する刃部とそれを支持するにぎり部とからなる目地除去用治具において、
前記刃部の厚みが漸次増加または減少する形状をなし、前記刃部の薄い部分が１ｍｍ以上で厚い部分が１．５ｍｍ以下であることを特徴とする目地除去用治具。
【請求項３】
前記刃部が超鋼、ステンレス、セラミックもしくは金属表面にセラミックがコーティングされた部材であることを特徴とする請求項１または請求項２に記載の目地除去用治具。
【請求項４】
ノコギリ状に成形された複数の刃を備える刃部とそれを支持するにぎり部とからなる目地除去用治具を目地に押し当て擦ることによって目地を除去すること特徴とする目地の除去方法
【発明の詳細な説明】
【０００１】
【発明の属する技術分野】
本発明は、建造物の内・外壁の接合部に施工されている目地材を交換する場合に、その目地材を除去するための目地材の除去治具に関する。
【０００２】
【従来の技術】
建築物の目地を除去する工具として、てこの原理を応用した除去用治具（特許文献１参照）や、あるいは電動治具が知られている。
【０００３】
【特許文献１】
特開２００２−１３８６８１号公報
【０００４】
【発明が解決しようとする課題】
上記特許文献１に記載されている治具は、てこの原理を応用しているため、支えになる部分が実際にはタイルなど仕上げ材の表面を押してしまうため、表面が割れたり、傷ついたりしてしまうことが在る。
また、電動治具は騒音や電源を必要とするため治具自体が大きく重くなり労力を要する問題がある。
本発明は上記課題を解決するためになされたもので、ハンディータイプの目地除去用治具で、目地巾が広いものから狭いものまで容易に除去可能な目地除去用治具の提供、および、治具を用いた目地の除去方法を提供することを目的とする。
【０００５】
【課題を解決するための手段】
上記目的を達成するために本発明は、ノコギリ状に成形された複数の刃を備える刃部とそれを支持するにぎり部とからなる目地除去用治具において、前記刃部の厚みが漸次増加または減少する形状をなし、前記刃部の薄い部分が０．５ｍｍ以上で厚い部分が２．０ｍｍ以下、好ましくは前記刃部の薄い部分が１ｍｍ以上で厚い部分が１．５ｍｍ以下であることを特徴とする。
刃の部分は、施工されている目地の巾が現場では違いがあることが多いことを考慮して、刃の厚さを、直線的に変化させたり、交互に厚いところ，薄いところを持つようにもできる。その結果として、直線的に変化させた場合は、目地巾がばらついていても目地を除去することが可能である。また、刃の厚さが薄いところでは同じ力で押しても、高い圧力がかかるため、目地が容易にきりかける効果を有する。
【０００６】
また、本発明の好ましい態様として、少なくとも前記複数の刃が超鋼、ステンレス、セラミックもしくは金属表面にセラミックがコーティングされた部材とするとよい。
【０００７】
また、上記目地除去用治具を目地に押し当て擦ることによって、目地を容易に除去することができる。
【０００８】
【発明の実施の形態】
本発明の好適な実施の例を図１から図４を用いて説明する。
図１（ａ）は目地除去用治具の全体概略図で、図１（ｂ）は刃部を下から見たである。
図２は刃部の斜視図である。
【０００９】
目地除去用治具は複数の刃２を備えた刃部１と刃部１を支持するにぎり部３から構成される。刃部１の刃２の部分は、施工されているタイルなど仕上げ材の目地巾のばらつきを緩和し、作業性を高めるために厚さを変えておく。
その厚さは、厚みの薄い所で０．５ｍｍ以上、厚みの厚いところで２ｍｍ以下が好ましく、より好ましくは０．５ｍｍから１．５ｍｍである。また、その変化としては、直線的、部分的など自由に設定できる。
厚みが薄い部分ではじめに押し当てると、同じ力でも強く押すことができるため（圧力が高くなる）、除去治具が刺さりこみやすく、作業性が向上する。
【００１０】
刃の材質は、超鋼、ステンレス、タングステンだけでなく、アルミナ、ジルコニア、窒化珪素などの耐磨耗性セラミックなど、磨耗に強い材料が好ましい。金属にセラミックをコーティングして、表面の耐磨耗性を向上させることも可能である。
【００１１】
支持部は、作業者の作業が容易になるような形状が好ましい。
【００１２】
実施例１
ノコギリ状の刃を有する超鋼の刃部長さ２０ｍｍのものを、厚さ１ｍｍから１．５ｍｍに直線状に変化させて研磨した。それを支持用プラスチックに差込み、目地除去用治具とした。
はじめに１ｍｍの部分から施工されている目地に押し当てて、擦ると目地に容易に切欠きができた。次に刃を斜めにして、１．５ｍｍの部分を押し当てて、全体的に幅広く目地を切り欠いた。特別騒音も無く、目地は用意に除去できた。
【００１３】
実施例２
厚さを薄い部分が１ｍｍ、厚い部分を２ｍｍに研磨した。変化のさせ方は、図３にあるように、中央部を厚く、周辺部を薄くなるように研磨した。刃は、ステンレス製を準備した。溶着法によってその刃の上からアルミナコーティングした。アルミナのコーティング厚は、約０．２ｍｍとした。それを支持用プラスチックに差込み、目地除去用治具とした。端部から目地に押し当て、目地を切欠いた後、中央部の厚さの厚い部分で、目地全体を擦り、欠き取ることができた。
【００１４】
実施例３
厚さを薄い部分が１ｍｍ、厚い部分を１．５ｍｍに研磨した。変化のさせ方は、図４にあるように、中央部を厚く、周辺部を薄くなるように研磨した。刃は、超鋼製を準備した。それを支持用プラスチックに差込み、目地除去用治具とした。端部から目地に押し当て、目地を切欠いた後、中央部の厚さの厚い部分で、目地全体を擦り、欠き取ることができた。
【００１５】
比較例３
厚さ２ｍｍの超鋼の刃を作製した。それを支持用プラスチックに差込み、目地除去用治具とした。内装タイルが貼られているタイル目地を除去するため、端部から目地に押し当て、目地を切欠いたが、刃の厚さが厚いため、目地にうまく切欠きできなかった。力いっぱい押し当てると何とか切欠くことができたが、目地巾が狭い部分で刃が引っかかってしまった。引っかかった刃を無理やり抜こうとしたところ、斜めに力がかかり、仕上げ材であるタイルのコバ（目地側の面）がかけてしまった。
【００１６】
【発明の効果】
本発明は上記構成とすることにより、ハンディータイプの目地除去用治具で、目地巾が広いものから狭いものまで容易に除去可能な目地除去用治具の提供、および目地の除去方法が提供できる。
【図面の簡単な説明】
【図１】本発明を示す図である。
【図２】本発明を示す斜視図である。
【図３】本発明の刃部の別な例を下から見た図である。
【図４】本発明の刃部の別な例を下から見た図である。
【符号の説明】
１…刃部、２…刃、３…にぎり部
【図１】
2004293252.tif 000003
【図２】
2004293252.tif 000004
【図３】
2004293252.tif 000005
【図４】
2004293252.tif 000006